(57)【要約】【課題】  着信音等の音を出力し又はその出力を停止させる際に、電波放送の放送音についてもあわせて出力し又はその出力を停止させるときの利用者の操作負担を軽減することである。【解決手段】  本携帯電話機は、電話手段、放送受信手段、スピーカ出力手段、モード設定手段、スピーカ出力制御手段及びスピーカ放送音出力停止手段を備えており、放送受信手段で受信した放送内容の音をスピーカ出力手段により出力可能なものである。モード設定手段は、放送内容の音以外の少なくとも一部の音につき、その音をスピーカ出力手段により出力する第１モード及びその音のスピーカ出力手段による出力を停止する第２モードのいずれかのモードに設定するものである。スピーカ放送音出力停止手段は、放送受信手段で電波放送を受信している期間中に、モード設定手段が第１モードから第２モードへ設定変更したとき、スピーカ出力手段による放送内容の音の出力を停止させる。【選択図】  図１
2006013838.tif 000002
【特許請求の範囲】
【請求項１】
電話回線を通じて他の電話機と電話するための電話手段と、
電波放送を受信する放送受信手段と、
外部出力用スピーカを用いて音を出力するスピーカ出力手段と、
該放送内容の音以外の少なくとも一部の音につき、該少なくとも一部の音を該スピーカ出力手段により出力する第１モード及び該少なくとも一部の音の該スピーカ出力手段による出力を停止する第２モードのいずれかのモードに設定するモード設定手段と、
該モード設定手段により設定されたモードに従って、該スピーカ出力手段により該少なくとも一部の音を出力し又は該少なくとも一部の音の該スピーカ出力手段による出力を停止させるスピーカ出力制御手段とを備え、
該放送受信手段で受信した放送内容の音を該スピーカ出力手段により出力可能な携帯電話機において、
上記放送受信手段で電波放送を受信している期間中に、上記モード設定手段が上記第１モードから上記第２モードへ設定変更したとき、上記スピーカ出力手段による上記放送内容の音の出力を停止させるスピーカ放送音出力停止手段を有することを特徴とする携帯電話機。
【請求項２】
請求項１の携帯電話機において、
上記放送受信手段で受信した放送内容の音を上記スピーカ出力手段により出力するか否かを決定するための出力設定情報を記憶する設定情報記憶手段と、
該放送受信手段で電波放送を受信してその放送内容の音を該スピーカ出力手段により出力するためのアプリケーションプログラムを実行するものであって、該アプリケーションプログラムの実行開始時に該設定情報記憶手段に記憶された出力設定情報を読み出し、該アプリケーションプログラムを実行している間は、読み出した出力設定情報の内容に従って、該放送内容の音を該スピーカ出力手段により出力する処理動作を継続し、又は、該放送内容の音の該スピーカ出力手段による出力を停止する処理動作を継続するアプリケーションプログラム実行手段と、
該放送受信手段で電波放送を受信している期間中に、上記モード設定手段が上記第１モードから上記第２モードへ設定変更したとき、該放送内容の音の該スピーカ出力手段による出力を停止させるための出力設定情報を、該設定情報記憶手段に保存する設定情報保存手段とを有することを特徴とする携帯電話機。
【請求項３】
電話回線を通じて他の電話機と電話するための電話手段と、
電波放送を受信する放送受信手段と、
外部出力用スピーカを用いて音を出力するスピーカ出力手段と、
該放送内容の音以外の少なくとも一部の音につき、該少なくとも一部の音を該スピーカ出力手段により出力する第１モード及び該少なくとも一部の音の該スピーカ出力手段による出力を停止する第２モードのいずれかのモードに設定するモード設定手段と、
該モード設定手段により設定されたモードに従って、該スピーカ出力手段により該少なくとも一部の音を出力し又は該少なくとも一部の音の該スピーカ出力手段による出力を停止させるスピーカ出力制御手段とを備え、
該放送受信手段で受信した放送内容の音を該スピーカ出力手段により出力可能な携帯電話機において、
上記放送受信手段で電波放送を受信している期間中に、上記モード設定手段が上記第２モードから上記第１モードへ設定変更したとき、上記放送内容の音を上記スピーカ出力手段により出力するスピーカ放送音出力手段を有することを特徴とする携帯電話機。
【請求項４】
請求項３の携帯電話機において、
上記放送受信手段で受信した放送内容の音を上記スピーカ出力手段により出力するか否かを決定するための出力設定情報を記憶する設定情報記憶手段と、
該放送受信手段で電波放送を受信してその放送内容の音を該スピーカ出力手段により出力するためのアプリケーションプログラムを実行するものであって、該アプリケーションプログラムの実行開始時に該設定情報記憶手段に記憶された出力設定情報を読み出し、該アプリケーションプログラムを実行している間は、読み出した出力設定情報の内容に従って、該放送内容の音を該スピーカ出力手段により出力する処理動作を継続し、又は、該放送内容の音の該スピーカ出力手段による出力を停止する処理動作を継続するアプリケーションプログラム実行手段と、
該放送受信手段で電波放送を受信している期間中に、上記モード設定手段が上記第２モードから上記第１モードへ設定変更したとき、該放送内容の音を該スピーカ出力手段により出力させるための出力設定情報を、該設定情報記憶手段に保存する設定情報保存手段とを有することを特徴とする携帯電話機。
【請求項５】
請求項１、２、３又は４の携帯電話機において、
上記放送受信手段で受信した放送内容の音をイヤホンを用いて出力するイヤホン出力手段と、
上記スピーカ出力手段による該放送内容の音の出力が停止しているときでも、該イヤホン出力手段による該放送内容の音の出力は停止させずに継続するイヤホン出力制御手段とを有することを特徴とする携帯電話機。
【発明の詳細な説明】
【技術分野】
【０００１】
本発明は、テレビ放送やラジオ放送等のように電波により放送される電波放送を受信し、その放送内容を出力することが可能な携帯電話機に関するものである。
【背景技術】
【０００２】
この種の携帯電話機としては、例えば特許文献１に記載されたものが知られている。この特許文献１に記載された携帯電話機は、電話機能の他に、電波放送を選局受信するチューナ機能を備えている。この特許文献１には、ラジオ放送を受信して外部出力用スピーカから出力される放送音声を聞くことができる携帯電話機や、テレビ放送を受信して表示手段に表示される放送画像及び外部出力用スピーカから出力される放送音声を視聴できる携帯電話機が記載されている。
一方、従来の携帯電話機には、電話の着信音や電子メール又はショートメッセージ等の着信音などの音を外部出力用スピーカから出力しないように動作させるマナーモードと呼ばれる動作モードが備わっている。着信音などの音を外部出力用スピーカから出力する通常モード（第１モード）からマナーモード（第２モード）へ設定変更すれば、利用者の回りにいる人々にとって騒音となり得る着信音などの音が外部出力用スピーカから出力されなくなる。利用者は、自分の回りに多くの人々が存在する電車内などの場所へ移動する場合には、自分の携帯電話機をマナーモードへ設定変更するための操作を行い、着信音などの音を外部出力用スピーカから出力させないようにする。
【０００３】
【特許文献１】特開平８−１２５７２３号公報
【発明の開示】
【発明が解決しようとする課題】
【０００４】
ラジオ放送やテレビ放送を受信してその放送音を外部出力用スピーカから出力可能な携帯電話機において、その放送音を外部出力用スピーカから出力する場合には、その放送音も上記着信音と同様に利用者の回りにいる人々にとって騒音となり得る。このような携帯電話機においては、放送の受信開始前にすでにマナーモードに設定されている場合には、その放送音を外部出力用スピーカから出力しないように動作するものがある。この携帯電話機によれば、放送受信開始前にマナーモードに設定されていれば、放送受信中であっても、その放送音が外部出力用スピーカから出力されない。よって、利用者は、放送受信開始前にマナーモードに設定しておくことで、放送音が自分の回りにいる人々の騒音となる事態を回避することができる。
しかし、この携帯電話機は、その放送受信中にマナーモードへの設定変更を行うことができない構成となっていた。そのため、利用者は、放送受信中に電車内などの場所へ移動する場合には、その放送の受信を終了する操作を行った後、マナーモードに設定するための操作を行うという作業を強いられるという問題があった。
【０００５】
また、放送の受信開始前にマナーモードに設定されていれば放送音を外部出力用スピーカから出力しない上記携帯電話機では、マナーモード中に放送を受信したとき、その放送音をイヤホンから出力する構成になっている。よって、利用者は、放送受信開始前にマナーモードを設定しておけば、自分の回りにいる人々の騒音にならないように、その放送音を聴くことができる。
しかし、この携帯電話機は、その放送受信中にマナーモードを解除して通常モードへ設定変更することができない構成になっていた。そのため、電車内等の場所において放送音をイヤホンで聴いていた利用者が、その場所を離れてその放送音を外部出力用スピーカで聴こうとする場合には、利用者の操作負担が大きいという問題があった。すなわち、この場合、利用者は、その放送の受信を一旦終了するための操作を行ってから、マナーモードを解除して通常モードへ設定変更するための操作を行い、その後、その放送の受信を再開するための操作を行うという作業を強いられるという問題があった。
【０００６】
本発明は、上記問題に鑑みなされたものであり、その目的とするところは、着信音等の音を出力し又はその出力を停止させる際に、電波放送の放送音についてもあわせて出力し又はその出力を停止させるときの利用者の操作負担を軽減することができる携帯電話機を提供することである。
【課題を解決するための手段】
【０００７】
上記目的を達成するために、請求項１の発明は、電話回線を通じて他の電話機と電話するための電話手段と、電波放送を受信する放送受信手段と、外部出力用スピーカを用いて音を出力するスピーカ出力手段と、該放送内容の音以外の少なくとも一部の音につき、該少なくとも一部の音を該スピーカ出力手段により出力する第１モード及び該少なくとも一部の音の該スピーカ出力手段による出力を停止する第２モードのいずれかのモードに設定するモード設定手段と、該モード設定手段により設定されたモードに従って、該スピーカ出力手段により該少なくとも一部の音を出力し又は該少なくとも一部の音の該スピーカ出力手段による出力を停止させるスピーカ出力制御手段とを備え、該放送受信手段で受信した放送内容の音を該スピーカ出力手段により出力可能な携帯電話機において、上記放送受信手段で電波放送を受信している期間中に、上記モード設定手段が上記第１モードから上記第２モードへ設定変更したとき、上記スピーカ出力手段による上記放送内容の音の出力を停止させるスピーカ放送音出力停止手段を有することを特徴とするものである。
この携帯電話機においては、第１モードから第２モードへ設定変更がなされたとき、スピーカ出力制御手段により、放送内容の音以外の少なくとも一部の音がスピーカ出力手段の外部出力用スピーカから出力されなくなる。そして、放送受信期間中に第１モードから第２モードへ設定変更がなされた場合には、スピーカ出力手段による放送内容の音（放送音）の出力も停止する。したがって、放送受信期間中に第１モードから第２モードへ設定変更がなされると、上記少なくとも一部の音のスピーカ出力手段による出力が停止するとともに、放送音のスピーカ出力手段による出力も停止する。なお、第１モードから第２モードへの設定変更は、利用者の操作に基づくものに限られない。したがって、例えば、利用者がいる場所を検知手段で検知し、その場所がこの設定変更を行うべき予め決められた場所である場合には第１モードから第２モードへ設定変更するような、利用者の操作に基づかないものであってもよい。
なお、本明細書において「放送」とは、画像及び音の情報又は音のみの情報などのように音を含む情報を電波で配信するものであり、テレビ放送やラジオ放送が含まれる。
また、本明細書において「放送内容の音以外の少なくとも一部の音」とは、スピーカ出力手段により出力され得る音のうち、放送音を除く全ての音又はその一部の音であり、電話やメール等のの着信音、ゲーム等のアプリケーションプログラムの効果音、ボタン操作等の操作音などが含まれる。
【０００８】
また、請求項２の発明は、請求項１の携帯電話機において、上記放送受信手段で受信した放送内容の音を上記スピーカ出力手段により出力するか否かを決定するための出力設定情報を記憶する設定情報記憶手段と、該放送受信手段で電波放送を受信してその放送内容の音を該スピーカ出力手段により出力するためのアプリケーションプログラムを実行するものであって、該アプリケーションプログラムの実行開始時に該設定情報記憶手段に記憶された出力設定情報を読み出し、該アプリケーションプログラムを実行している間は、読み出した出力設定情報の内容に従って、該放送内容の音を該スピーカ出力手段により出力する処理動作を継続し、又は、該放送内容の音の該スピーカ出力手段による出力を停止する処理動作を継続するアプリケーションプログラム実行手段と、該放送受信手段で電波放送を受信している期間中に、上記モード設定手段が上記第１モードから上記第２モードへ設定変更したとき、該放送内容の音の該スピーカ出力手段による出力を停止させるための出力設定情報を、該設定情報記憶手段に保存する設定情報保存手段とを有することを特徴とするものである。
この携帯電話機においては、アプリケーションプログラム実行手段によりアプリケーションプログラムを実行することで、電波放送を受信し、その放送音がスピーカ出力手段により出力することができる。そして、アプリケーションプログラムの実行中におけるアプリケーションプログラム実行手段の処理動作は、その実行開始時に読み込んだ設定情報記憶手段に記憶された出力設定情報の内容によって決まる。このように、実行開始時に読み込んだ出力設定情報によってその実行中の処理動作が決まることで、その実行中に設定情報記憶手段に記憶された出力設定情報をアプリケーションプログラム実行手段が定期的に確認する処理動作が不要となる。したがって、アプリケーションプログラム実行手段の処理負荷が大幅に軽減される。
その一方、実行開始後に設定情報記憶手段に記憶された出力設定情報が書き換えられたとしても、その実行中は、書き換えられた出力設定情報がアプリケーションプログラム実行手段の処理動作に反映されない。したがって、実行開始後に、放送音のスピーカ出力手段による出力を停止させるべく出力設定情報を書き換えたとしても、その実行中はスピーカ出力手段による放送音の出力が停止しないという不具合が生じる。
本携帯電話機においては、請求項１の携帯電話機について述べたように、放送受信期間中すなわちアプリケーションプログラムの実行中に、第１モードから第２モードへ設定変更がなされると、放送音のスピーカ出力手段による出力が停止する。したがって、アプリケーションプログラムの実行開始後に第１モードから第２モードへ設定変更がなされれば、その実行中であってもスピーカ出力手段による放送音の出力を停止させることができ、上記不具合を解消できる。
しかも、本携帯電話機においては、この設定変更が行われると、放送内容の音のスピーカ出力手段による出力を停止させるための出力設定情報が設定情報記憶手段に記憶される。これにより、実行中のアプリケーションプログラムを終了した後に再度アプリケーションプログラムを実行したとき、その実行中においても、放送音のスピーカ出力手段による出力が停止される。したがって、再開したアプリケーションプログラムの実行中も放送音のスピーカ出力手段による出力を停止させる場合、その再開前に出力設定情報を書き換えるための作業を行う必要がない。
【０００９】
また、請求項３の発明は、電話回線を通じて他の電話機と電話するための電話手段と、電波放送を受信する放送受信手段と、外部出力用スピーカを用いて音を出力するスピーカ出力手段と、該放送内容の音以外の少なくとも一部の音につき、該少なくとも一部の音を該スピーカ出力手段により出力する第１モード及び該少なくとも一部の音の該スピーカ出力手段による出力を停止する第２モードのいずれかのモードに設定するモード設定手段と、該モード設定手段により設定されたモードに従って、該スピーカ出力手段により該少なくとも一部の音を出力し又は該少なくとも一部の音の該スピーカ出力手段による出力を停止させるスピーカ出力制御手段とを備え、該放送受信手段で受信した放送内容の音を該スピーカ出力手段により出力可能な携帯電話機において、上記放送受信手段で電波放送を受信している期間中に、上記モード設定手段が上記第２モードから上記第１モードへ設定変更したとき、上記放送内容の音を上記スピーカ出力手段により出力するスピーカ放送音出力手段を有することを特徴とするものである。
この携帯電話機においては、第２モードから第１モードへ設定変更がなされたとき、スピーカ出力制御手段により、放送内容の音以外の少なくとも一部の音がスピーカ出力手段の外部出力用スピーカから出力されるようになる。そして、放送受信期間中に第２モードから第１モードへ設定変更がなされた場合には、スピーカ出力手段による放送内容の音（放送音）も出力されるようになる。したがって、放送受信期間中に第２モードから第１モードへ設定変更がなされると、上記少なくとも一部の音とともに放送音も、スピーカ出力手段により出力される。なお、第２モードから第１モードへの設定変更は、利用者の操作に基づくものに限られない。したがって、例えば、利用者がいる場所を検知手段で検知し、その場所がこの設定変更を行うべき予め決められた場所ではない場合には第２モードから第１モードへ設定変更するような、利用者の操作に基づかないものであってもよい。
【００１０】
また、請求項４の発明は、請求項３の携帯電話機において、上記放送受信手段で受信した放送内容の音を上記スピーカ出力手段により出力するか否かを決定するための出力設定情報を記憶する設定情報記憶手段と、該放送受信手段で電波放送を受信してその放送内容の音を該スピーカ出力手段により出力するためのアプリケーションプログラムを実行するものであって、該アプリケーションプログラムの実行開始時に該設定情報記憶手段に記憶された出力設定情報を読み出し、該アプリケーションプログラムを実行している間は、読み出した出力設定情報の内容に従って、該放送内容の音を該スピーカ出力手段により出力する処理動作を継続し、又は、該放送内容の音の該スピーカ出力手段による出力を停止する処理動作を継続するアプリケーションプログラム実行手段と、該放送受信手段で電波放送を受信している期間中に、上記モード設定手段が上記第２モードから上記第１モードへ設定変更したとき、該放送内容の音を該スピーカ出力手段により出力させるための出力設定情報を、該設定情報記憶手段に保存する設定情報保存手段とを有することを特徴とするものである。
この携帯電話機においては、請求項２の携帯電話機と同様に、アプリケーションプログラムの実行中に設定情報記憶手段に記憶された出力設定情報をアプリケーションプログラム実行手段が定期的に確認する処理動作が不要となる。したがって、アプリケーションプログラム実行手段の処理負荷が大幅に軽減される結果、充電池で駆動する携帯電話機にとって有益な消費電力の低減効果等が得られる。
また、本携帯電話機は、請求項２の携帯電話機と同様に、実行開始後に設定情報記憶手段に記憶された出力設定情報が書き換えられたとしても、その実行中は、書き換えられた出力設定情報がアプリケーションプログラム実行手段の処理動作に反映されない。したがって、実行開始後に、放送音をスピーカ出力手段により出力させるべく出力設定情報を書き換えたとしても、その実行中は、スピーカ出力手段により放送音が出力されないという不具合が生じる。
本携帯電話機においては、請求項３の携帯電話機について述べたように、放送受信期間中すなわちアプリケーションプログラムの実行中に、第２モードから第１モードへ設定変更がなされると、放送音がスピーカ出力手段により出力される。したがって、アプリケーションプログラムの実行開始後に第２モードから第１モードへ設定変更がなされれば、その実行中であってもスピーカ出力手段により放送音を出力することができる。
しかも、本携帯電話機においては、この設定変更が行われると、放送内容の音をスピーカ出力手段により出力させるための出力設定情報が設定情報記憶手段に記憶される。これにより、実行中のアプリケーションプログラムを終了した後に再度アプリケーションプログラムを実行したとき、その実行中においても、放送音がスピーカ出力手段により出力される。したがって、再開したアプリケーションプログラムの実行中も放送音をスピーカ出力手段により出力する場合、その再開前に出力設定情報を書き換えるための作業を行う必要がない。
【００１１】
また、請求項５の発明は、請求項１、２、３又は４の携帯電話機において、上記放送受信手段で受信した放送内容の音をイヤホンを用いて出力するイヤホン出力手段と、上記スピーカ出力手段による該放送内容の音の出力が停止しているときでも、該イヤホン出力手段による該放送内容の音の出力は停止させずに継続するイヤホン出力制御手段とを有するものである。
この携帯電話機においては、スピーカ出力手段による放送音の出力が停止しているときでも、その放送音がイヤホン出力手段により出力される。
【００１２】
なお、上記「携帯電話機」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）などが挙げられる。
【発明の効果】
【００１３】
以上、請求項１及び２の発明によれば、放送受信期間中に着信音等の音の出力を停止させるべく第１モードから第２モードへ設定変更がなされると、その放送音の出力も停止するので、その設定変更が利用者の操作に基づいて行われるものであったとしても、着信音等の音の出力を停止させる際に放送音の出力についてもあわせて停止させるときの利用者の操作負担を軽減することができるという優れた効果が奏される。
特に、請求項２の発明によれば、アプリケーションプログラム実行手段の処理負荷が大幅に軽減される結果、充電池で駆動する携帯電話機にとって有益な消費電力の低減効果等が得られるという優れた効果が奏される。加えて、アプリケーションプログラム実行中にスピーカ出力手段による放送音の出力を停止させるべく出力設定情報を書き換えても、その出力が停止しないという不具合を解消できるという優れた効果も奏される。更に、再開したアプリケーションプログラムの実行中も放送音のスピーカ出力手段による出力を停止させる場合、その再開前に出力設定情報の書き換えを行う必要がないので、その設定変更が利用者の操作に基づいて行われるものであったとしても、利用者の操作負担を軽減することができるという優れた効果も奏される。
また、請求項３及び４の発明によれば、放送受信期間中に着信音等の音を出力させるべく第２モードから第１モードへ設定変更がなされると、その放送音も出力されるので、その設定変更が利用者の操作に基づいて行われるものであったとしても、着信音等の音を出力させる際に放送音についてもあわせて出力させるときの利用者の操作負担を軽減することができるという優れた効果が奏される。
特に、請求項４の発明によれば、アプリケーションプログラム実行手段の処理負荷が大幅に軽減される結果、充電池で駆動する携帯電話機にとって有益な消費電力の低減効果等が得られるという優れた効果が奏される。加えて、アプリケーションプログラム実行中にスピーカ出力手段による放送音を出力させるべく出力設定情報を書き換えても、その出力がされないという不具合を解消できるという優れた効果も奏される。更に、再開したアプリケーションプログラムの実行中も放送音をスピーカ出力手段により出力させる場合、その再開前に出力設定情報の書き換えを行う必要がないので、その設定変更が利用者の操作に基づいて行われるものであったとしても、利用者の操作負担を軽減することができるという優れた効果も奏される。
また、請求項５の発明によれば、上述した請求項１乃至４のいずれかの発明によって奏される効果に加え、利用者はスピーカ出力手段による放送音の出力が停止しているときでもイヤホン出力手段により放送音を聴くことができるという優れた効果も奏される。
【発明を実施するための最良の形態】
【００１４】
以下、本発明の実施形態を、図面を参照しながら説明する。
図２は、本実施形態に係る携帯電話機が利用可能な移動体通信システムの全体構成を説明するための説明図である。
この移動体通信システムにおいて、利用者であるユーザーが使用する携帯電話機２０は、電話回線としての携帯電話通信網１０に接続可能である。この携帯電話機２０は、携帯電話通信網１０を介して、他のユーザーの携帯電話機１１と電話することができる。
【００１５】
図３（ａ）は上記携帯電話機２０の外観を示す正面図であり、図３（ｂ）はその背面図である。また、図４は、その携帯電話機２０のハードウェア構成を示す概略構成図である。
この携帯電話機２０は、クラムシェル（折り畳み）タイプの携帯電話機である。この携帯電話機２０は、システムバス２００、ＣＰＵ２０１、ＲＡＭ２０２やＲＯＭ２０３等からなる内部制御装置、入力装置２０４、出力装置２０５、携帯電話通信網用通信装置２０６及びチューナー装置２０７を備えている。
ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、液晶ディスプレイ（ＬＣＤ）２７、通話用スピーカ２８、外部出力用スピーカ２９、イヤホン３０等から構成されている。上記携帯電話通信網用通信装置２０６は、携帯電話通信網１０を介して他の携帯電話機１１と電話をしたり、携帯電話通信網１０を介してメールやショートメッセージ等の通信を行ったりするためのものである。上記チューナー装置２０７は、ラジオ放送局から送信される電波放送を選局して受信するためのものである。
【００１６】
図５は、上記携帯電話機２０の主要部を抽出して示したブロック図である。
この携帯電話機２０は、電話手段としての電話通信部２１１、情報受信手段としてのデータ通信部２１２、操作手段としての操作部２１３、スピーカ出力制御手段、イヤホン出力制御手段、スピーカ放送音出力停止手段、スピーカ放送音出力手段、アプリケーションプログラム実行手段及び設定情報保存手段としての主制御部２１５、スピーカ出力手段及びイヤホン出力手段としての出力部２１６、放送受信手段としてのチューナー部２１７、設定情報記憶手段としての記憶部２１８等を備えている。
【００１７】
上記電話通信部２１１は、他の携帯電話機１１や固定電話機と電話通信を行うために、携帯電話通信網１０の基地局と無線通信を行うものであり、上述のハードウェア構成上の携帯電話通信網用通信装置２０６等に対応する。この電話通信部２１１で電話の着信信号を受信すると、電話の着信が出力部２１６によりユーザーに特定の音、表示、振動等で報知される。この電話の着信が報知された場合は、ユーザーは操作部２１３の通話開始キー２２を押すことで通話を行うことができる。
【００１８】
上記データ通信部２１２は、上記電話通信部２１１と同様に、上述のハードウェア構成上の携帯電話通信網用通信装置２０６等に対応する。このデータ通信部２１２は、携帯電話通信網１０を介して他の携帯電話機１１とメールのやり取りを行ったり、携帯電話通信網１０からゲートウェイサーバを介してインターネット等の外部通信ネットワークに接続し、インターネット上での電子メールのやり取り等を行ったりするためのものである。また、このデータ通信部２１２は、図示しない情報提供サーバから所定のタイミングで携帯電話通信網１０を介して一方向的に送信されてくる情報を受信する情報受信部としても機能する。情報提供サーバから送られてくる情報としては、ニュース情報、気象情報、地震・津波情報、地図情報、店舗情報、商品情報、ユーザーが位置する地域に限定された地域情報などが挙げられる。これらの情報は、前述のように所定のタイミング、例えば予め設定した時間間隔ごとのタイミングや、予め設定した特定の時刻のタイミングで自動的に受信される。このデータ通信部２１２で情報を受信すると、その情報の着信が出力部２１６によりユーザーに特定の音、表示、振動等で報知される。この情報の着信が報知された場合は、ユーザーは任意のタイミングで受信した情報を閲覧することができる。
【００１９】
上記操作部２１３は、ユーザーが操作可能な上述のテンキー２１、通話開始キー２２、終話キー２３等で構成されている。この操作部２１３を操作することにより、ユーザーは、電話着信の際に通話の開始及び終了を行ったり、携帯電話機２０の各種設定や動作モードを選択したりすることができる。
【００２０】
上記主制御部２１５は、上記電話通信部２１１、データ通信部２１２、操作部２１３、出力部２１６、チューナー部２１７及び記憶部２１８を制御するものであり、上述のシステムバス２００、ＣＰＵ２０１やＲＡＭ２０２等で構成されている。この主制御部２１５は、上記電話通信部２１１や上記データ通信部２１２等を制御するための通信制御用プログラムやユーザインターフェースを実行する。また、主制御部２１５は、アプリケーションプログラム実行手段として機能し、上記チューナー部２１７を制御するためのラジオプレイヤー用のアプリケーションプログラムを実行することで、ラジオ放送局から送信されるラジオ放送を聴くことを可能にする。また、主制御部２１５は、利用者が所定の操作を行うことでモード設定手段として機能し、その操作内容に基づいて、電話やメール等の着信音を外部出力用スピーカ２９から出力する通常モード（第１モード）か、その着信音を外部出力用スピーカ２９から出力しないマナーモード（第２モード）のいずれかのモードに設定する。
【００２１】
上記出力部２１６は、上述のＬＣＤ２７、通話用スピーカ２８、外部出力用スピーカ２９及びイヤホン３０、並びに外部出力用スピーカ２９から出力される音量を調節するための音量調節手段である音量調節部等からなる出力装置２０５等で構成されている。この出力部２１６は、上記データ通信部２１２で受信したショートメッセージやメールの内容を上記主制御部２１５の制御の下、ＬＣＤ２７に表示する。また、出力部２１６のＬＣＤ２７は、上記電話通信部２１１で電話を着信した旨をユーザーに報知するときに用いられる。また、上記データ通信部２１２でショートメッセージを着信した旨や情報提供サーバからの情報を着信した旨をユーザーに報知するときにも用いられる。具体的には、これらの着信を受けると、主制御部２１５により、出力部２１６のＬＣＤ２７に着信報知画像を表示したり、外部出力用スピーカ２９から着信音を出力させたりする。また、出力部２１６は、チューナー部２１７から送られてくる音信号用の外部出力用スピーカ音量調節部（ラジオ放送用音量調節部）と、それ以外の音信号用の外部出力用スピーカ音量調節部（一般音量調節部）とをそれぞれ個別に備えており、各音量調節部は主制御部２１５によって独立に制御される。また、出力部２１６は、携帯電話機本体外部に露出したイヤホン端子を備え、イヤホン３０はこの端子に対して着脱自在に構成されている。そして、出力部２１６は、このイヤホン３０から出力される音量を調節するためのイヤホン音量調節部（イヤホン音量調節部）を有し、このイヤホン音量調節部は、上述したラジオ放送用音量調節部及び一般音量調節部とは独立して主制御部２１５によって独立に制御される。
【００２２】
上記チューナー部２１７は、上述のハードウェア構成上のチューナー装置２０７や放送受信用アンテナ等に対応する。このチューナー部２１７は、ラジオ放送局から送信されるラジオ放送電波のうち、主制御部２１５から指示された周波数の電波を選択的に受波し、その電波放送を受信する一般的なラジオチューナーとしての機能を有する。このチューナー部２１７で受信したラジオ放送の内容は、出力部２１６へ直接伝送され、出力部２１６のラジオ放送用音量調節部を介して外部出力用スピーカ２９から出力される。また、このチューナー部２１７で受信したラジオ放送の内容は、出力部２１６のイヤホン音量調節部を介してイヤホン３０からも出力される。
【００２３】
上記記憶部２１８は、上述のＲＡＭ２０２の一部やＲＯＭ２０３などによって構成されている。この記憶部２１８のＲＡＭ２０２は、マナーモード時に主制御部２１５が処理動作すべき内容が含まれたマナーモード設定情報を記憶する設定情報メモリ領域を有している。このマナーモード設定情報は、電話の着信音、メールやショートメッセージの着信音等の外部出力用スピーカ２９からの出力を停止させるための情報が含まれている。また、このマナーモード設定情報は、チューナー部２１７で受信したラジオ放送の放送音を外部出力用スピーカ２９から出力させるか否かの出力設定情報としての放送音設定情報も含まれている。なお、このようなマナーモード設定情報は、ユーザー操作に基づいて、例えば、電話の着信音はＯＦＦにするがメールやショートメッセージの着信音はＯＦＦにしないというふうに変更できるようにしてもよい。また、携帯電話機２０を所定の手順に従って動作させる各種プログラム等も、上記記憶部２１８のＲＡＭ２０２やＲＯＭ２０３に記憶されている。これらのプログラムは、必要に応じてＣＰＵ２０１やＲＡＭ２０２中の作業エリアに呼び出されて実行される。
【００２４】
図６は、本実施形態におけるラジオプレイヤー用のアプリケーションプログラムの起動時（実行開始時）の処理の流れを示すフローチャートである。
ユーザーは、携帯電話機２０でラジオ放送を聴く場合、まず、操作部２１３に対して所定の操作を行い、ラジオプレイヤー用のアプリケーションプログラムを起動させる（Ｓ１１）。これにより、ＬＣＤ２７には、ラジオ放送局を選局したり、音量を調節したりするためのプレイヤー画面が表示される。ここで、本実施形態において、主制御部２１５は、アプリケーションプログラムの起動時に、記憶部２１８の設定情報メモリ領域に記憶されたマナーモード設定情報中の放送音設定情報を読み出す（Ｓ１２）。そして、読み出した放送音設定情報が、放送内容の音のスピーカ出力手段による出力を停止させる内容（出力無し情報）であるときには（Ｓ１３）、当該アプリケーションプログラムの実行中、チューナー部２１７で受信したラジオ放送の放送音を外部出力用スピーカ２９から出力しないように処理動作を行う（Ｓ１４）。具体的には、主制御部２１５は、出力部２１６のラジオ放送用音量調節部へ消音命令を送信する。これが出力部２１６のラジオ放送用音量調節部に受信されると、その消音命令に従ってラジオ放送用音量調節部の音量がＯＦＦになる。なお、ラジオ放送用音量調節部の音量がＯＦＦになっても、チューナー部２１７で受信したラジオ放送の放送音はイヤホン３０から出力されるので、ユーザーは、イヤホン３０を耳に装着することで、その放送音を聴くことができる。その後、主制御部２１５は、ＬＣＤ２７にプレイヤー画面を表示させるための処理を行う（Ｓ１５）。一方、読み出した放送音設定情報が、放送内容の音をスピーカ出力手段により出力させる内容（出力有り情報）であるときには（Ｓ１３）、主制御部２１５は、出力部２１６に対して命令を出力することなく、ＬＣＤ２７にプレイヤー画面を表示させるための処理を行う（Ｓ１５）。本実施形態において、出力部２１６のラジオ放送用音量調節部は、主制御部２１５から消音命令を受信しないときには所定の音量に予め設定される。よって、当該アプリケーションプログラムの実行中、チューナー部２１７で受信したラジオ放送の放送音を外部出力用スピーカ２９から出力するように処理動作が行われる。
【００２５】
このようにしてアプリケーションプログラムが起動したら、ユーザーは、ＬＣＤ２７上のプレイヤー画面を見ながら操作部２１３に対して所定の操作を行うことで、ラジオ放送局を選局したり、音量を調節したりすることができる。ユーザーが操作部２１３に対して所定の操作を行ってラジオ放送局を選局すると、その操作内容が操作部２１３から主制御部２１５に送られる。主制御部２１５は、その操作内容に応じた周波数の電波を受波するための選局命令をチューナー部２１７へ送信する。これを受信したチューナー部２１７は、選局命令に係る周波数の電波を受波し、その電波を復調して得た音信号を出力部２１６を出力する。これにより、出力部２１６のラジオ放送用音量調節部が起動時に主制御部２１５から消音命令を受けていない場合には、出力部２１６の外部出力用スピーカ２９からは、選局したラジオ放送局から送信された放送電波の放送音が出力される。一方、出力部２１６のラジオ放送用音量調節部が起動時に主制御部２１５から消音命令を受けている場合には、出力部２１６の外部出力用スピーカ２９からは放送音が出力されない。また、前者の場合において、ユーザーがラジオ放送用音量調節部の音量を調節する際には、操作部２１３に対して所定の操作を行う。これにより、その操作内容が操作部２１３から主制御部２１５に送られる。主制御部２１５は、その操作内容に応じた音量に調節するための音量調節命令を出力部２１６へ送信する。これが出力部２１６に受信されると、その出力部２１６のラジオ放送用音量調節部がその音量調節命令に係る音量となるように制御される。
【００２６】
〔動作例１〕
次に、ユーザーが操作部２１３に対して所定の操作を行って通常モードからマナーモードへ設定変更されたときの動作例（本動作例を「動作例１」という。）について説明する。本動作例１では、マナーモードへの設定変更時に、ラジオ放送が受信されているときには外部出力用スピーカ２９からの放送音の出力を強制的に停止させる制御を行う。
【００２７】
図１は、本動作例１における処理動作の流れを示すフローチャートである。
ユーザーが通常モードからマナーモードへ設定変更するための所定の操作を操作部２１３に対して行うと（Ｓ１）、その操作内容が操作部２１３から主制御部２１５に送られる。これにより、主制御部２１５は、判断手段として機能し、現在ラジオ放送を受信しているか否かを判断する（Ｓ２）。具体的には、現在ラジオプレイヤー用のアプリケーションプログラムが実行されているか否かにより、これを判断する。この判断においてラジオ放送を受信していると判断された場合、主制御部２１５は、出力部２１６のラジオ放送用音量調節部へ消音命令を送信する。これにより、出力部２１６のラジオ放送用音量調節部の音量はＯＦＦになり（Ｓ３）、外部出力用スピーカ２９からの放送音の出力が強制的に停止される。なお、外部出力用スピーカ２９からの放送音の出力が停止しても、その放送音はイヤホン３０から出力されるので、ユーザーは、イヤホン３０を耳に装着することで、その放送音を聴くことができる。そして、主制御部２１５は、記憶部２１８の設定情報メモリ領域に記憶されたマナーモード設定情報の放送音設定情報を出力無し情報に書き換える（Ｓ４）。その後、主制御部２１５は、記憶部２１８からマナーモード設定情報を読み出し（Ｓ５）、その設定情報の内容に従って、電話の着信音、メールやショートメッセージの着信音等の外部出力用スピーカ２９からの出力を停止させる処理を実行する（Ｓ６）。具体的には、主制御部２１５は、読み出したマナーモード設定情報の内容に従って、出力部２１６の一般音量調節部へ消音命令を送信する。これにより、出力部２１６の一般音量調節部の音量はＯＦＦになり、外部出力用スピーカ２９からの各種着信音の出力が強制的に停止される。
一方、上記Ｓ２の判断においてラジオ放送を受信していないと判断された場合、主制御部２１５は、記憶部２１８からマナーモード設定情報を読み出し（Ｓ５）、その設定情報の内容に従って、電話の着信音、メールやショートメッセージの着信音等の外部出力用スピーカ２９からの出力を停止させる処理を実行する（Ｓ６）。
【００２８】
なお、本動作例１では、一般音量調節部の音量をＯＦＦにすることにより各種着信音の外部出力用スピーカ２９からの出力をＯＦＦする方法を採用している。しかし、この場合、一般音量調節部を介して出力される音が一律にＯＦＦになってしまうので、電話の着信音についてはＯＦＦにするが、メールの着信音についてはＯＦＦにしないというような処理動作ができない。よって、例えば、外部出力用スピーカ２９から着信音を出力させるために主制御部２１５から出力部２１６へ送信する指令を、着信音ごと（電話着信音、メール着信音など）に出力するかしないか選択できる方法を採用してもよい。この場合、電話の着信音とメールの着信音とを個別にＯＦＦにすることが可能となる。
【００２９】
以上、本動作例１によれば、外部出力用スピーカ２９から出力されているラジオ放送の放送音を聴いているユーザーがマナーモードに設定変更するための所定の操作を行うと、電話の着信音やメールの着信音などの外部出力用スピーカ２９からの出力が停止するとともに、その放送音の外部出力用スピーカ２９からの出力も停止する。すなわち、ユーザーは、マナーモードに設定変更する操作を１回行うだけで、マナーモードに設定変更できるとともに、放送音の外部出力用スピーカ２９からの出力も停止させることができる。
しかも、本動作例１においては、ラジオプレイヤー用のアプリケーションプログラムの実行中に放送音の外部出力用スピーカ２９からの出力を停止させるか否かについての主制御部２１５の処理動作は、その実行開始時に読み込んだ記憶部２１８の放送音設定情報によって決まる。よって、主制御部２１５は、アプリケーションプログラムの実行中に記憶部２１８の放送音設定情報を定期的に確認する処理動作が不要となる。したがって、主制御部２１５の処理負荷が大幅に軽減され、アプリケーションプログラム実行中の消費電力を低減することができる。
更に、本動作例１においては、ラジオ放送の受信期間中にマナーモードへ設定変更されると、記憶部２１８の放送音設定情報が出力無し情報となる。これにより、実行中のアプリケーションプログラムを終了した後に再度アプリケーションプログラムを実行したとき、その実行中においても、ユーザーは何ら操作を行わなくても、放送音の外部出力用スピーカ２９による出力が停止される。この点について説明すると、ユーザーがアプリケーションプログラム実行中にマナーモードへ設定変更しただけでは、記憶部２１８の放送音設定情報は出力有り情報のままである。そのため、このアプリケーションプログラムを再開したときには、その起動時に出力有り情報の放送音設定情報が主制御部２１５に読み込まれるため、この再開したアプリケーションプログラム実行中は外部出力用スピーカ２９から放送音が出力されてしまう。よって、再開したときにも、放送音の外部出力用スピーカ２９からの出力を停止させておきたいユーザーは、その再開前に記憶部２１８の放送音設定情報を出力有り情報から出力無し情報へ設定変更するための操作を行う必要がある。本動作例１によれば、アプリケーションプログラム実行中にマナーモードへ設定変更されると、その時点で記憶部２１８の放送音設定情報が出力無し情報となるので、再度アプリケーションプログラムを実行したときも、ユーザーは何ら操作を行わなくても、放送音の外部出力用スピーカ２９による出力が停止される。
【００３０】
〔動作例２〕
次に、ユーザーが操作部２１３に対して所定の操作を行ってマナーモードから通常モードへ設定変更されたときの動作例（本動作例を「動作例２」という。）について説明する。本動作例２では、通常モードへの設定変更時すなわちマナーモード解除時に、ラジオ放送が受信されているときにはその放送音を外部出力用スピーカ２９から強制的に出力させる制御を行う。
【００３１】
図７は、本動作例２における処理動作の流れを示すフローチャートである。
上記動作例１で説明したように、ユーザーがアプリケーションプログラム実行中にマナーモード設定を行うと記憶部２１８の放送音設定情報が出力無し情報に書き換えられる。このとき、このアプリケーションプログラムを終了した後、これを再開した場合には、上述したように、主制御部２１５は、アプリケーションプログラムの起動時にその放送音設定情報を読み込んで、出力部２１６のラジオ放送用音量調節部に対して消音命令を出力する。よって、再開したアプリケーションプログラム実行中は、放送音が外部出力用スピーカ２９から出力されず、ユーザーはイヤホン３０を用いてその放送音を聴くことになる。ここで、このようにマナーモードに設定されている状態でラジオ放送を受信しているときに、ユーザーがマナーモードを解除するための所定の操作を操作部２１３に対して行ったとする（Ｓ２１）。これにより、その操作内容は操作部２１３から主制御部２１５に送られる。これにより、主制御部２１５は、判断手段として機能し、上記動作例１の場合と同様に、現在ラジオ放送を受信しているか否かを判断する（Ｓ２２）。
【００３２】
この判断においてラジオ放送を受信していると判断された場合、主制御部２１５は、出力部２１６のラジオ放送用音量調節部へ音量復帰命令を送信する。これにより、出力部２１６のラジオ放送用音量調節部は、その音量がＯＦＦになる前の音量に復帰し（Ｓ２３）、外部出力用スピーカ２９から放送音の出力が強制的に開始される。そして、主制御部２１５は、記憶部２１８の設定情報メモリ領域に記憶されたマナーモード設定情報の放送音設定情報を出力有り情報に書き換える（Ｓ２４）。その後、主制御部２１５は、電話の着信音、メールやショートメッセージの着信音等を外部出力用スピーカ２９から出力させる処理を実行する（Ｓ２５）。具体的には、主制御部２１５は、出力部２１６の一般音量調節部へ音量復帰命令を送信する。これにより、出力部２１６の一般音量調節部の音量はＯＦＦになる前の音量に復帰し、外部出力用スピーカ２９から各種着信音が出力可能となる。
一方、上記Ｓ２２の判断においてラジオ放送を受信していないと判断された場合、主制御部２１５は、電話の着信音、メールやショートメッセージの着信音等を外部出力用スピーカ２９から出力させる処理を実行する（Ｓ２５）。
【００３３】
以上、本動作例２によれば、マナーモードに設定されている状態でイヤホン３０から出力されているラジオ放送の放送音を聴いているユーザーが、そのマナーモードを解除するための所定の操作を行うと、電話の着信音やメールの着信音などを外部出力用スピーカ２９から出力可能な通常モードになるとともに、その放送音を外部出力用スピーカ２９から出力するようになる。すなわち、ユーザーは、マナーモードの解除操作を１回行うだけで、通常モードに設定変更できるとともに、放送音の外部出力用スピーカ２９からの出力も開始させることができる。
しかも、本動作例２においても、上記動作例１の場合と同様に、ラジオプレイヤー用のアプリケーションプログラムの実行中に放送音の外部出力用スピーカ２９からの出力を停止させるか否かについての主制御部２１５の処理動作は、その実行開始時に読み込んだ記憶部２１８の放送音設定情報によって決まるので、アプリケーションプログラム実行中の消費電力を低減することができる。
更に、本動作例２においては、ラジオ放送の受信期間中にマナーモードが解除されると、記憶部２１８の放送音設定情報が出力有り情報となる。これにより、実行中のアプリケーションプログラムを終了した後に再度アプリケーションプログラムを実行したとき、その実行中においても、ユーザーは何ら操作を行わなくても、放送音が外部出力用スピーカ２９から出力される。この点について説明すると、ユーザーがアプリケーションプログラム実行中にマナーモードを解除しただけでは、記憶部２１８の放送音設定情報は出力無し情報のままである。そのため、このアプリケーションプログラムを再開したときには、その起動時に出力無し情報の放送音設定情報が主制御部２１５に読み込まれるため、この再開したアプリケーションプログラム実行中は外部出力用スピーカ２９から放送音が出力されない。よって、再開したときにも、放送音を外部出力用スピーカ２９から出力させたいユーザーは、その再開前に記憶部２１８の放送音設定情報を出力無し情報から出力有り情報へ設定変更するための操作を行う必要がある。本動作例２によれば、アプリケーションプログラム実行中にマナーモードが解除されると、その時点で記憶部２１８の放送音設定情報が出力有り情報となるので、再度アプリケーションプログラムを実行したときも、ユーザーは何ら操作を行わなくても、放送音が外部出力用スピーカ２９から出力される。
【００３４】
なお、本実施形態では、ラジオ放送を受信する場合について説明したが、テレビ放送などの他の放送を受信する場合についても同様である。
また、本実施形態では、いわゆる電話機プラットフォーム上で直接動作するラジオプレイヤー用のアプリケーションプログラムを例に挙げて説明したが、プラットフォームに依存しないオブジェクト指向プログラミングによって開発されたラジオプレイヤー用アプリケーションプログラムであっても同様である。このようなアプリケーションプログラムとしては、ＪＡＶＡ（登録商標）、Ｃ、Ｃ＋＋等のプログラム言語で記述されたアプリケーションプログラムなどが挙げられる。また、これらのアプリケーションプログラムの実行環境は、ＪＡＶＡ（登録商標）のＶＭやＢＲＥＷ（登録商標）等のミドルウェアによって構築される。
【図面の簡単な説明】
【００３５】
【図１】実施形態の携帯電話機における動作例１の処理動作の流れを示すフローチャート。
【図２】同携帯電話機が利用可能な移動体通信システムの全体構成を説明するための説明図。
【図３】（ａ）は同携帯電話機の外観を示す正面図。（ｂ）はその背面図。
【図４】同携帯電話機のハードウェア構成を示す概略構成図。
【図５】同携帯電話機の主要部を抽出して示したブロック図。
【図６】同携帯電話機におけるラジオプレイヤー用のアプリケーションプログラムの起動時処理の流れを示すフローチャート。
【図７】動作例２における処理動作の流れを示すフローチャート。
【符号の説明】
【００３６】
１０  携帯電話通信網
１１  発信元の携帯電話機
２０  携帯電話機
２９  外部出力用スピーカ
３０  イヤホン
２１１  電話通信部
２１２  データ通信部
２１３  操作部
２１５  主制御部
２１６  出力部
２１７  チューナー部
２１８  記憶部
【図１】
2006013838.tif 000003
【図２】
2006013838.tif 000004
【図３】
2006013838.tif 000005
【図４】
2006013838.tif 000006
【図５】
2006013838.tif 000007
【図６】
2006013838.tif 000008
【図７】
2006013838.tif 000009